(57)【要約】例えばＤＶＤ−Ｒ／ＲＷなどの情報記録媒体に対し、ピックアップからレーザ光を照射して情報を記録する。また、レーザ光のパワー調整の際には、ピックアップから出射されたレーザ光はＦＭＤなどの受光部により受光される。受光されたレーザ光のレベルが検出され、それに基づいてレーザ光のパワー比が決定され、それが所定の基準パワー比と一致するようにレーザ光のパワーが調整される。基準パワー比は、最適な記録特性で情報記録を行うことができるパワー比を示すので、これにより最適な記録特性での情報記録が可能となる。
2004077418.tif 000002
【特許請求の範囲】
【請求項１】
レーザ光を出射するピックアップと、
前記ピックアップから出射されたレーザ光を受光する受光部と、
前記受光部により受光された前記レーザ光におけるパワー比を求め、求められたパワー比が所定の基準パワー比と一致するように、前記ピックアップから出射されるレーザ光のパワーを調整するパワー調整を行うパワー調整部と、を備えることを特徴とする情報記録装置。
【請求項２】
前記ピックアップを利用して、情報記録媒体に記録されている前記基準パワー比を読み取る読取部を備えることを特徴とする請求の範囲第１項に記載の情報記録装置。
【請求項３】
前記所定の基準パワー比は、前記レーザ光の記録モードにおけるパワー比であることを特徴とする請求の範囲第２項に記載の情報記録装置。
【請求項４】
前記読取部は前記情報記録媒体に記録されている最適記録パワー値を読み取り、
前記パワー調整部は、前記最適記録パワー値について前記パワー調整を行うことを特徴とする請求の範囲第３項に記載の情報記録装置。
【請求項５】
実際の情報記録に先立ってテスト記録を行う場合には、前記パワー調整部は、前記最適記録パワー値を基準に決定される所定パワー範囲内の少なくとも１つのパワー値において前記パワー調整を行うことを特徴とする請求の範囲第４項に記載の情報記録装置。
【請求項６】
前記パワー調整部は、前記情報記録媒体の情報記録領域以外に前記ピックアップが位置する状態で、前記パワー調整を行うことを特徴とする請求の範囲第１項に記載の情報記録装置。
【請求項７】
前記パワー調整部は、前記情報記録媒体のテスト記録領域に前記ピックアップが位置する状態で、前記パワー調整を行うことを特徴とする請求の範囲第１項に記載の情報記録装置。
【請求項８】
前記受光部は、前記ピックアップ内のフロントモニタ部であることを特徴とする請求の範囲第１項に記載の情報記録装置。
【請求項９】
前記受光部は、前記情報記録媒体が配置されるべき面上に配置された光検出器であることを特徴とする請求の範囲第１項に記載の情報記録装置。
【請求項１０】
前記パワー比は、情報記録のための前記レーザ光の波形に含まれる異なるレベル部分の比であることを特徴とする請求の範囲第１項に記載の情報記録装置。
【請求項１１】
ピックアップから出射されたレーザ光を受光する工程と、
前記受光部により受光された前記レーザ光におけるパワー比を求める工程と、
求められたパワー比が所定の基準パワー比と一致するように、前記ピックアップから出射されるレーザ光のパワーを調整するパワー調整を行う工程と、を有することを特徴とする情報記録方法。
【発明の詳細な説明】
【技術分野】  本発明は、情報記録媒体に光学的に情報を記録する方法に関する。
【背景技術】  光学的に情報を記録可能な情報記録媒体として例えばＤＶＤ−Ｒ／ＲＷ、ＣＤ−Ｒ／ＲＷなどが知られており、それら情報記録媒体に情報を記録するための情報記録装置が存在する。そのような情報記録装置はドライブ装置とも呼ばれる。情報記録の際には、ドライブ装置は情報記録媒体に対して適切な記録パワーでレーザ光などの記録光を照射して情報記録媒体の記録面上に記録情報に対応するピットなどを形成することにより、情報を記録する。従って、正確な情報記録のためには、記録光が適切な記録パワーに維持されていることが必要となる。
通常、ドライブ装置は、生産工程において記録パワーの調整が行われた後に出荷される。一方、出荷後は、環境による温度変化などに対応するための補正が行われる程度であり、特に記録パワーの調整（キャリブレーション）が行われる機会はない。なお、温度変化に対応するための補正とは、記録ドライブ装置が置かれた環境温度と当該ドライブ装置が搭載するレーザダイオードの温度特性とに基づいて、レーザダイオードを駆動する電流値を補正する処理である。
ＣＤ−Ｒ／ＲＷ、ＤＶＤ−Ｒ／ＲＷ、ＤＶＤ＋Ｒ／ＲＷなどのディスクには、その記録媒体に正しく記録を行うための最適記録パワー値や記録パワー比などの情報（以下、「最適記録情報」と呼ぶ。）が予め記録されている。なお、記録パワー比とは、情報を記録する際のレーザ駆動波形（「ストラテジ」とも呼ぶ。）中の複数のレベルの比である。よって、ドライブ装置は、ディスクに記録されている最適記録情報を基にして、好ましい記録条件を決定するためのテスト記録や、実際の情報記録を行う。即ち、ディスク上に記録されている最適記録パワー値や記録パワー比となるようにレーザダイオードを駆動して記録を行う。
しかし、ディスク上に記録された最適記録情報に従って記録を行ったとしても、出荷時に行われたパワー調整の誤差や、当該ドライブ装置が使用される環境における温度変化などの要因により、実際にピックアップから出力される記録レーザ光は必ずしも最適な記録パワー比とはならないことが多い。その場合、テスト記録においては最良の記録条件を得ることができなくなり、実際の情報記録においては最良の記録特性を得ることができなくなる。これは、２倍速、４倍速又はそれ以上のいわゆる高速記録時に特に顕著となる。本発明が解決しようとする課題には、上記のようなものが一例として挙げられる。
【発明の開示】
本発明は、生産工程でのパワー調整誤差や環境による温度変化などの影響を受けることなく、最適な記録パワー比となるように記録パワーの調整を可能とすることを目的とする。
本発明の１つの観点では、情報記録装置において、レーザ光を出射するピックアップと、前記ピックアップから出射されたレーザ光を受光する受光部と、前記受光部により受光された前記レーザ光におけるパワー比を求め、求められたパワー比が所定の基準パワー比と一致するように、前記ピックアップから出射されるレーザ光のパワーを調整するパワー調整を行うパワー調整部と、を備える。
本発明の他の観点では、情報記録方法において、ピックアップから出射されたレーザ光を受光する工程と、前記受光部により受光された前記レーザ光におけるパワー比を求める工程と、求められたパワー比が所定の基準パワー比と一致するように、前記ピックアップから出射されるレーザ光のパワーを調整するパワー調整を行う工程と、を有する。
【図面の簡単な説明】  図１は、本発明の実施形態に係る情報記録装置の構成を示す機能ブロック図である。
図２は、本発明の実施例に係る情報記録装置の構成を示す。
図３は、パワー比調整処理例を示すフローチャートである。
図４は、ＤＶＤ−Ｒの４倍速記録時のレーザ駆動波形を示す。
図５Ａから５Ｃは、ＤＶＤ−Ｒの４倍速記録時の記録パワー比Ｐｏ／Ｐｍのマージン特性例を示す。
図６は、図５Ｃに示す歪み率の定義を示す図である。
図７Ａと７Ｂは、ＤＶＤ−Ｒの４倍速記録時において、記録パワー比が最適記録パワー比に近い場合とそうでない場合とのパワーマージン特性例を示す。
図８は、ＤＶＤ−ＲＷの記録時のレーザ駆動波形である。
図９Ａから９Ｃは、ＤＶＤ−ＲＷの２倍速記録時の記録パワー比のマージン特性例である。
図１０は、ＤＶＤ−ＲＷの２倍速記録時において、記録パワー比が最適記録パワー比と一致する場合と、そうでない場合とのパワーマージン特性例である。
図１１は、ＤＶＤ＋Ｒの４倍記録時のレーザ駆動波形の例である。
図１２Ａは、ＣＤ−Ｒの記録時のレーザ駆動波形、図１２Ｂは、マルチスピード（Ｍｕｌｔｉ−ｓｐｅｅｄ）ＣＤ−Ｒの記録時のレーザ駆動波形である。
図１３は、変形例に係る消去パワー決定処理のフローチャートを示す。
図１４は、情報記録装置の変形例の構成ブロック図である。
【発明を実施するための最良の形態】  以下、本発明の好適な実施形態について説明する。図１に本発明の実施形態に係る情報記録装置の構成を機能ブロックで示す。図１において、本実施形態の情報記録再生装置１は、光ディスクなどの情報記録媒体に対して記録光を照射するためのピックアップ１０と、ピックアップ１０から出射された記録光を受光する受光部２０と、受光部２０が受光した記録光のパワーを検出し、最適なパワー比となるようにピックアップ１０から出射される記録光のパワーを調整するパワー調整部３０とを備える。
上記のように構成された情報記録装置は、例えばＤＶＤ−Ｒ／ＲＷ、ＤＶＤ＋Ｒ／ＲＷ、ＣＤ−Ｒ／ＲＷなどの情報記録媒体に対し、ピックアップ１０からレーザ光を照射して情報を記録する。また、レーザ光のパワー調整の際には、ピックアップ１０から出射されたレーザ光は受光部２０により受光される。受光されたレーザ光のレベルが検出され、それに基づいてレーザ光のパワー比が決定され、それが所定の基準パワー比と一致するようにレーザ光のパワーが調整される。基準パワー比は、情報記録媒体に対して最適な記録特性で情報記録を行うことができるパワー比を示すので、これにより最適な記録特性での情報記録が可能となる。
この基準パワー比は、情報記録媒体上に予め記録されているものとすることができ、その場合、情報記録装置はピックアップ１０を利用して情報記録媒体に記録されている前記基準パワー比を読み取る読取部を備えることができる。また、基準パワー比は、前記レーザ光の記録モードにおけるパワー比とすることができる。
読取部は前記情報記録媒体に記録されている最適記録パワー値を読み取り、前記パワー調整部３０は、前記最適記録パワー値について前記パワー調整を行うことができる。
また、実際の情報記録に先立ってテスト記録を行う場合には、パワー調整部３０は、前記最適記録パワー値を基準に決定される所定パワー範囲内の少なくとも１つのパワー値において前記パワー調整を行うことができる。
また、前記パワー調整部３０は、前記情報記録媒体の情報記録領域以外に前記ピックアップ１０が位置する状態で前記パワー調整を行うか、又は、前記情報記録媒体のテスト記録領域において前記ピックアップ１０が位置する状態で前記パワー調整を行うことが好ましい。これにより、パワー調整中に情報記録媒体の本来の情報記録領域内に誤って記録が行われることを防止することができる。
上記の受光部２０はピックアップ１０内のフロントモニタ部とすることができ、その場合はピックアップ１０内の構造を利用してレーザ光のパワーを容易に検出することができる。また、受光部２０は情報記録媒体が配置されるべき面上に配置された光検出器とすることができ、その場合は受光部２０によりディスクに照射されるのと同等のレーザ光パワーを検出することができる。
また、パワー比は、情報記録のためのレーザ駆動波形に含まれる異なるレベル部分の比とすることができる。例えば、記録パワー比はＤＶＤ−Ｒの情報記録時のレーザ駆動波形におけるトップパルス部のレベルと中間パルス部のレベルの比とすることができる。同様に、ＤＶＤ−ＲＷ、ＤＶＤ＋Ｒ、ＤＶＤ＋ＲＷなどにおいても、情報記録時のレーザ駆動波形における異なるレベル部分の比とすることができる。
【実施例】  次に、図面を参照して本発明の好適な実施例について説明する。
［情報記録装置の構成］
図２に本発明の第１実施例に係る情報記録装置の構成を示す。図２において、情報記録装置１は、例えばＣＤ−Ｒ／ＲＷ、ＤＶＤ−Ｒ／ＲＷ、ＤＶＤ＋Ｒ／ＲＷなどの光ディスク２に対して情報を記録する装置であり、スピンドルモータ３と、ピックアップ１０と、アンプ４及び５と、サーボ制御部６と、記録パワー検出部３１と、システム制御部３２とを備える。
スピンドルモータ３は、サーボ制御部６から供給される制御信号に基づいて、光ディスク２を所定の速度で回転させる。ピックアップ１０は、記録光の光源としてのＬＤ（Ｌａｓｅｒ  Ｄｉｏｄｅ）１３と、ＬＤを駆動するＬＤドライバ１１と、受光部として機能するフロントモニタダイオード（ＦＭＤ）２１と、図示しない光学系とを備える。ＬＤドライバ１１は、システム制御部３２から供給されるＬＤ制御信号１７に基づいてＬＤ１３に駆動電流を通電してＬＤ１３を発光させ、光学系を通じて情報の記録や消去のためのレーザ光Ｌを出射させる。
また、ピックアップ１０は、図示しない光検出器などにより、光ディスク２で反射されたレーザ光を受光し、その光量に対応する電気信号である光検出信号１５を生成してアンプ４へ出力する。一方、ＦＭＤ２１は、ＬＤ１３から出射されたレーザ光を受光し、その光量に対応するレーザパワー検出信号１６を生成してアンプ５へ出力する。
アンプ４は必要に応じて光検出信号１５を増幅又は減衰してサーボ制御部６へ供給する。サーボ制御部６は、光検出信号１５に基づいて、トラッキングサーボ、フォーカスサーボ、スピンドルサーボなどを含む各種のサーボ制御を行う。具体的には、サーボ制御部６は、システム制御部３２からの制御信号１４によって制御され、光検出信号１５に基づいて各種のサーボエラーを検出し、サーボ制御信号１８を生成してピックアップ１０及びスピンドルモータ３に供給し、各種サーボ制御を実行する。
アンプ５は、ＦＭＤ２１から出力されたレーザパワー検出信号１６を増幅して記録パワー検出部３１へ供給する。記録パワー検出部３１は、例えばサンプルホールド回路、ピークホールド回路、又は、ボトムホールド回路などを含んで構成され、レーザパワー検出信号１６から所定のタイミングにおけるレーザパワーを検出して検出レーザパワー値１９としてシステム制御部３２へ供給する。
システム制御部３２は、マイクロコンピュータなどにより構成され、記録の対象となる光ディスク２に記録されている最適記録情報と、検出レーザパワー値１９とに基づいてＬＤ制御信号１７を生成してＬＤドライバ１１へ供給する。これにより、ＬＤ１３から出射されるレーザ光のパワーが最適化される。
［パワー比調整処理］
次に、システム制御部３２で行われる制御について詳しく説明する。システム制御部３２は、パワー比調整（Ｐｏｗｅｒ  Ｒａｔｉｏ  Ｃａｌｉｂｒａｔｉｏｎ）を行う。ＤＶＤ−Ｒ／ＲＷなどの光ディスク２には、その光ディスク２に対して最適な条件で記録することを可能とするために、最適記録情報が記録されている。最適記録情報とは、当該光ディスク２に対して最適な記録特性で記録を行うために要求される記録パワーを規定する情報である。詳細は後述するが、例えばＤＶＤ−Ｒの場合においては図４に示すように、５Ｔ以上の記録データは略凹形のレーザ駆動波形（ストラテジ）によりＬＤを駆動して情報を記録する。この場合、レーザ駆動波形はトップパルス部２０１のレベルＰｏと、中間パルス部２０２のレベルＰｍとにより規定され、ＤＶＤ−Ｒのディスクには最適記録情報として、最適記録パワー値（この例では、トップパルス部２０１のレベルＰｏの値、例えば、１２ｍＷなど）と、最適記録パワー比Ｐｒ（＝Ｐｏ／Ｐｍ）とが記録されている。つまり、そのＤＶＤ−Ｒには、「トップパルス部分のレベルＰｏが１２ｍＷ、かつ、記録パワー比Ｐｒ＝Ｐｏ／Ｐｍとなるようにレーザ駆動波形を生成して記録を行えば、最適な記録特性で記録ができる」という情報が記録されている。
システム制御部３２は、この最適記録情報に基づいて、まず、レーザ駆動波形を生成し、実際にＬＤ１３を駆動してレーザ光を出射する。出射されたレーザ光はＦＭＤ２１により受光され、記録パワー検出部３１によりそのレーザパワーが検出されて検出レーザパワー値１９としてシステム制御部３２へ供給される。システム制御部３２は、図４に示すレーザ駆動波形におけるトップパルス部２０１と中間パルス部２０２の検出レーザパワー値に基づいて、記録パワー比Ｐｒ＝Ｐｏ／Ｐｍを算出し、それが光ディスク２から読み取った最適記録パワー比と等しくなるように、ＬＤ制御信号１７を生成してＬＤドライバ１１を制御する。こうして、実際にＬＤ１３から出射されたレーザパワーが、光ディスク２に記録されている最適記録パワー比となるようにフィードバック制御が行われる。これが、本発明によるパワー比調整処理である。
なお、ここでは光ディスク２の例としてＤＶＤ−Ｒを挙げ、その最適記録情報が、最適記録パワー値＝トップパルス部分のレベルＰｏ、及び、最適記録パワー比Ｐｒ（＝Ｐｏ／Ｐｍ）であると述べたが、パワー比調整処理において使用される最適記録情報は、ディスクの種類によって当然に異なる。これについては、後述する。
次に、パワー比調整処理例について説明する。図３は、パワー比調整処理の一例を示すフローチャートである。なお、この処理は、図２に示すシステム制御部３２が、予め用意されたプログラムを実行することにより実現される。
まず、システム制御部３２は情報記録装置１内に光ディスク２がセットされているか否かを検出する（ステップＳ１０）。光ディスク２がセットされたことを検出すると、システム制御部３２はその光ディスク２から、最適記録情報を取得し、システム制御部３２の内部に一時的に記憶する（ステップＳ１１）。最適記録情報は、例えば前述のように最適記録パワー値と、最適記録パワー比とを含む。
次に、システム制御部３２は、記録準備が整ったか否かを判定する（ステップＳ１２）。これは、例えばピックアップ１０を含む情報記録装置１の各構成要素が記録動作可能な状態になったこと、及び、利用者が情報記録装置１に対して記録指示を入力したこと、などに基づいて判定することができる。
次に、システム制御部３２は、サーボ制御部６によるサーボ制御を維持したままピックアップ１０をテスト記録（試し書き）領域に配置するか、もしくは、サーボ制御部６によるサーボ制御をオフにした上でピックアップ１０をディスク最内周又はディスク最外周の記録不可能な領域に移動する（ステップＳ１３）。即ち、システム制御部３２は、ディスクの情報記録領域以外の領域にピックアップ１０を配置させる。これは、パワー比の調整を行う際にＬＤ１３からレーザ光を出射する必要があるので、そのレーザ光によりディスク上の本来の情報記録領域に無駄なデータ記録がなされてしまうことを防止するためである。よって、パワー調整処理は、ピックアップ１０がテスト領域に位置しているか、もしくはディスク内周又は外周の記録不能領域に位置した状態で行われることになる。
こうして、ディスクの情報記録領域以外の領域にピックアップ１０を配置すると、次にシステム制御部３２は実際の情報記録前に試し書きを行うか否かを判定する（ステップＳ１４）。これは、例えば情報記緑装置１が実際の記録前にテスト記録を行うモードに設定されているか否かなどの設定情報を参照することにより判定することができる。
そして、テスト記録を行う場合（ステップＳ１４；Ｙｅｓ）、システム制御部３２はテスト記録を行うパワーの範囲内の少なくとも１つのパワーで、前述のパワー比調整を行う（ステップＳ１５）。通常、テスト記録は所定のパワー範囲内で記録パワーを変更して行われ、その結果から最適な記録パワーを決定するものである。よって、テスト記録を行う所定のパワー範囲内で少なくとも１つ、好ましくは数個の記録パワー値について、パワー比調整を実施する。なお、この場合、テスト記録を行う所定のパワー範囲は、先に光ディスク２から読み取った最適記録パワー値を中心として決定することができる。
一方、テスト記録を行わない場合（ステップＳ１４；Ｎｏ）、システム制御部３２は先に光ディスク２から読み取った最適記録パワー値において、パワー比調整を行う。即ち、この場合は１つの記録パワー値のみについてパワー比調整が行われることになる。
こうして、少なくとも１つの記録パワー値についてパワー比調整が実施される。パワー比調整が行われることにより、実際にピックアップ１０のＬＤ１３から出射されるレーザパワーは最適記録情報により規定される条件を具備することとなる。よって、テスト記録を行う場合には、ステップＳ１５でパワー比の調整がなされた後の記録パワーにより高精度のテスト記録を行うことが可能となる。また、テスト記録を行わずに実際の情報記録を行う際も、ステップＳ１６でパワー比の調整がなされた後の記録パワーにより、その光ディスク２に対して最適な記録特性で記録を行うことが可能となる。
［各種ディスクにおける最適記録情報］
次に、本発明を各種のディスクの再生装置に適用した場合に、それぞれどの値を上述のパワー比調整処理における最適記録情報として使用するかについて、ディスク毎に説明する。
（１）ＤＶＤ−Ｒ
図４は、ＤＶＤ−Ｒの４倍速記録時のレーザ駆動波形を示す。ＤＶＤ−Ｒの４倍速記録においては、３Ｔ及び４Ｔの記録データは図中左側に示す単一のレーザ駆動波形により記録され、５Ｔ以上の記録データは図中右側に示す略凹型のレーザ駆動波形により記録される。５Ｔ以上のレーザ駆動波形のトップパルス２０１及びラストパルス２０３のレベルをＰｏとし、中間パルス部２０２のレベルをＰｍとすると、ＤＶＤ−Ｒには最適記録情報として、最適記録パワー比：Ｐｒ＝Ｐｏ／Ｐｍの値が記録されている。よって、ＤＶＤ−Ｒに本発明を適用した場合には、実際にＬＤ１３から出射されたレーザ光から得られた記録パワー比がこの最適記録パワー比：Ｐｒ＝Ｐｏ／Ｐｍの値と一致するようにパワー比調整処理が実行される。なお、Ｐｂはバイアスレベルである。
図５Ａから５Ｃは、ＤＶＤ−Ｒの４倍速記録時の記録パワー比：Ｐｒ＝Ｐｏ／Ｐｍのマージン特性の例を示す。本例では、ＤＶＤ−Ｒに予め記録されている最適記録パワー比は１．４５程度の値である。
まず、以下に検討するパラメータについて簡単に説明しておく。「ジッタ（ｊｉｔｔｅｒ）」は、２値化した再生信号から生成したＰＬＬクロックに対する、２値化した再生信号の立上りおよび立下りエッジのゆらぎ度合いを示す値である。クロックジッタが高いほど、再生信号の品質が悪く、低いほど再生信号の品質が良い。ＤＶＤ−Ｒ規格書によれば、ジッタ値：８．０％未満が要求されている。
「アシンメトリ（Ａｓｙｍｍｅｔｒｙ）」は、最小記録マーク（３Ｔマーク）と最大記録マーク（１４Ｔマーク）との振幅中心のずれ度合いを示す値であり、ＤＶＤ−Ｒ規格書によれば、アシンメトリ：−０．０５〜０．１５が要求されている。
「変調度（Ｉ１４Ｈ）」は、最大記録マーク（１４Ｔマーク）に対する再生信号のピーク値とゼロレベルとの差Ｉ１４Ｈと、最大記録マークに対する再生信号の振幅Ｉ１４の比（Ｉ１４／Ｉ１４Ｈ）を示す値であり、ＤＶＤ−Ｒ規格書によれば、変調度：０．６０以上（６０％）以上が要求されている。
図５Ａは記録パワー比（Ｐｏ／Ｐｍ  ｒａｔｉｏ）とジッタの関係を示す。記録パワー比が最適値からずれるに従ってジッタが悪化することがわかる。図５Ｂは記録パワー比とアシンメトリ及び変調度の関係を示す。図５Ｂからは、記録パワー比が変化すると、アシンメトリの値はほぼ一定であるが、パワー比が小さいと記録信号の変調度が大きくなっていることがわかる。これはＲＯＰＣ（Ｒｕｎｎｉｎｇ  Ｏｐｔｉｍｕｍ  Ｐｏｗｅｒ  Ｃｏｎｔｒｏｌ）に悪影響を与える可能性が生じるので好ましくない。また、パワー比が大きくなると変調度が小さくなり、Ｓ／Ｎが悪くなる。
図５Ｃは記録パワー比と記録波形の歪み率との関係を示す。記録パワー比が最適値より大きくなると、歪み率が増大していくことがわかる。なお、図５Ｃに示す記録波形の歪み率は、図６に示すように定義される。図６は記録信号の再生波形例を示しており、再生波形の振幅Ａに対する歪み量Ｂの割合を図５Ｃにおける歪み率と定義している。
また、図７Ａと７Ｂは、ＤＶＤ−Ｒの４倍速記録時において、記録パワー比：Ｐｒ＝Ｐｏ／Ｐｍが最適記録パワー比に近い場合とそうでない場合とのパワーマージン特性を示す。具体的には、図７Ａは、記録パワー比を最適値（Ｐｏ／Ｐｍ＝１．４５）とそうでない値（Ｐｏ／Ｐｍ＝１．３５）とし、記録パワー比を一定に保ち、記録パワーＰｗを変化させた場合のジッタの変化を示す。図７Ｂはその場合の変調度の変化を示す。図７Ａからは、記録パワー比が最適値からずれるとジッタの最小値が増大することがわかる。また、ジッタの最小値を得るために必要な記録パワーＰｗも増加することがわかる。図７Ｂからは、記録パワー比が小さいと変調度が大きくなり、変調度のパワーに対する変化率（即ちグラフの傾き）が小さくなっていることがわかる。よって情報記録中の変調度をモニタしながらＲＯＰＣ制御を行う場合には、その精度が悪化することになる。
以上のように、記録パワー比が最適記録パワー比からずれると、ジッタが増加する、変調度が低下する、歪みが大きくなる、ＲＯＰＣの精度が低下しうるなどの各種弊害が現れる。よって、最適な記録特性で記録を行うためには、パワー比調整処理により記録パワー比を最適記録パワー比に一致させるようにパワー調整を行うことが有効であることが理解される。
（２）ＤＶＤ−ＲＷ
次に、ＤＶＤ−ＲＷにおける最適記録情報について説明する。図８はＤＶＤ−ＲＷの記録時のレーザ駆動波形である。ＤＶＤ−ＲＷのレーザ駆動波形は、記緑パワーレベルＰｗと、消去（イレース）パワーレベルＰｅと、バイアスパワーレベルＰｂにより構成される。ＤＶＤ−ＲＷには、記録パワーレベルＰｗと消去パワーレベルＰｅの比ε（＝Ｐｅ／Ｐｗ）の最適値が最適記録パワー比として記録されている。よって、ＤＶＤ−ＲＷの場合、前述のパワー比調整処理は記録パワー比εについて行うことになる。
なお、ＣＤ−ＲＷ及びＤＶＤ＋ＲＷについても、情報記録には同様の波形のレーザ駆動信号が使用される。よって、ＤＶＤ−ＲＷと同様に記録パワー比εについてパワー比調整処理を行えばよい。
図９Ａから９ＣはＤＶＤ−ＲＷの２倍速記録時の記録パワー比εのマージン特性例である。図９Ａは記録パワー比εとジッタのとの関係を示し、図９Ｂは記録パワー比εとアシンメトリとの関係を示し、図９Ｃは記録パワー比εと変調度との関係を示す。なお本例では、最適記録パワー比はε＝約０．５２である（図中の直線２１０で示す）。図９Ａからは、記録パワー比εが最適記録パワー比からずれるとジッタが悪化することがわかる。図９Ｂからは、記録パワー比εが最適記録パワー比からずれるとアシンメトリが変化することがわかる。また、図９Ｃからは、記録パワー比εが最適記録パワー比からずれると変調度が変化することがわかる。
以上より、記録パワー比εが最適記録パワー比より小さいとジッタの増加は小さいが、アシンメトリが深くなり、変調度が飽和する。つまり、記録パワーが大きすぎる状態となり、ＤＶＤ−ＲＷに対する繰り返し記録特性に悪影響が及ぶ。即ち、書き換え可能回数が減少する。一方、記録パワー比εが最適記録パワー比より大きいと、アシンメトリが浅くなるとともにジッタが悪化する。
図１０はＤＶＤ−ＲＷの２倍速記録時において、記録パワー比εが最適記録パワー比と一致する場合（ε＝０．５２）と、そうでない場合（ε＝０．６０）とのパワーマージン特性例であり、横軸は記録パワー値Ｐｗであり縦軸はジッタである。図からわかるように、記録パワー比εが最適記録パワー比と一致しない場合は、一致する場合と比較して、最小ジッタ値が大きくなっている。
このように、ＤＶＤ−ＲＷにおいても、記録パワー比εを最適記録パワー比（本例では約０．５２）に一致させることにより、最適な記録特性が得られることが理解される。
（３）ＤＶＤ＋Ｒ
図１１はＤＶＤ＋Ｒの４倍記録時のレーザ駆動波形の例であり、５Ｔ以上の記録マークを形成するための記録パワーはＰｐであり、４Ｔの記録マークを形成する記録パワーはＰｐ＋ΔＰｐ（４Ｔ）であり、３Ｔの記録マークを形成する記録パワーはＰｐ＋ΔＰｐ（３Ｔ）である。ＤＶＤ＋Ｒにおいては、図１１に示す記録パワーＰｐ、並びに、その記録パワーＰｐと３Ｔマーク及び４Ｔマークを記録する際の記録パワーの比が記録されている。即ち、記録パワー比：ΔＰｐ（３Ｔ）／Ｐｐ、及び、ΔＰｐ（４Ｔ）／Ｐｐが最適記録情報として記録されている。よって、ＤＶＤ＋Ｒの場合は、これらの記録パワー比について前述のパワー比調整処理を行う。
（４）ＣＤ−Ｒ
図１２ＡはＣＤ−Ｒの記録時のレーザ駆動波形であり、図１２Ｂはマルチスピード（Ｍｕｌｔｉ−ｓｐｅｅｄ）ＣＤ−Ｒの記録時のレーザ駆動波形である。ＣＤ−Ｒには、図中の記録パワーＰｗとΔＰｗの比が最適記録情報として記録されている。よって、ＣＤ−Ｒの場合は、これらの記録パワー比（ΔＰｗ／Ｐｗ）について前述のパワー比調整処理を行う。
［変形例１］
次に、上記の情報記録装置の変形例を説明する。この変形例は、上述のパワー比調整処理を、消去パワーの決定に適用したものである。ＤＶＤ−ＲＷ、ＤＶＤ＋ＲＷ、ＣＤ−ＲＷなど、情報記録を繰り返して行うディスクにおいては、情報の書き換え時においても、記録時同様にパワー比の調整を行ってからテスト記録を行い、記録パワー及び消去パワーを決定することができる。そうして決定された消去パワーで記録情報の消去を行うことにより、適切な消去を実行することができる。
図１３に本変形例に係る消去パワー決定処理のフローチャートを示す。なお、この処理は、図２に示すシステム制御部３２が、予め用意されたプログラムを実行することにより実現される。
まず、システム制御部３２は情報記録装置１内に光ディスク２がセットされているか否かを検出する（ステップＳ２０）。光ディスク２がセットされたことを検出すると、システム制御部３２はその光ディスク２から、最適記録情報を取得し、内部に一時的に記憶する（ステップＳ２１）。最適記録情報は、前述のように最適記録パワー値と最適記録パワー比とを含む。
次に、システム制御部３２は、情報の消去準備が整ったか否かを判定する（ステップＳ２２）。次に、システム制御部３２は、サーボ制御部６によるサーボ制御を維持したままピックアップ１０をテスト記録領域に配置するか、もしくは、サーボ制御部６によるサーボ制御をオフにした上でピックアップ１０をディスク最内周の記録不可能な領域又はディスク最外周に移動する（ステップＳ２３）。これは、図２に示したパワー調整処理の場合と同様に、ディスクの情報記録領域以外の領域にピックアップ１０を配置し、消去パワー決定処理中のレーザ光によりディスク上の本来の情報記録領域に無駄なデータ記録がなされてしまうことを防止するためである。
次に、システム制御部３２はテスト記録を行うパワーの範囲内の少なくとも１つのパワーで、前述のパワー比調整を行う（ステップＳ２４）。こうして、少なくとも１つのパワー値について、パワー比の調整が実施される。パワー比の調整が行われることにより、実際にピックアップ１０のＬＤから出射されるレーザパワーが最適記録情報により規定される条件を具備することとなる。
次に、システム制御部３２は、パワー比の調整がなされた後の記録パワーによりテスト記録を行って記録パワー及び消去パワーを決定する（ステップＳ２５）。これにより、適正なパワーで情報の消去を行うことが可能となる。
［変形例２］
次に、他の変形例について説明する。この変形例はＬＤから出射されるレーザ光を受光する受光部２０の変形例であり、その構成を図１４に示す。なお、図１４において、図２に示した情報記録装置１の構成要素と同一のものには同一の符号を付している。
上記の実施例では、記録パワーの検出部としてＦＭＤを使用しているが、図１４に示すように、例えば光ディスク外周側の当該光ディスク２が接触することがない位置にディテクタ２２を設け、これを受光部２０として使用することができる。このように、光ディスク２と同一面上で光ディスク２の外周側位置にディテクタを設けてＬＤ１３の出力レーザ光を検出すると、ＦＭＤとは異なり、実際に光ディスク２に照射されるレーザ光のパワーをディテクタ２２により検出することが可能となる。
以上説明したように、本発明では、情報記録装置を、レーザ光を出射するピックアップと、ピックアップから出射されたレーザ光を受光するＦＭＤ又はディテクタなどの受光部と、ＦＭＤ又はディテクタにより受光されたレーザ光におけるパワー比を決定し、決定されたパワー比が所定の基準パワー比と一致するように、前記ピックアップから出射されるレーザ光のパワーを調整する記録パワー検出部及びシステム制御部とを備えるように構成する。よって、パワー比の調整により、全てのドライブ装置において、いかなる温度環境下においても適正なパワー比で実際の情報記録やテスト記録を行うことが可能となり、工場出荷時のパワー調整誤差、温度変化によるＬＤの微分量子効率の変化などに起因するパワー比の変化を防止することができ、最適な記録特性を得ることができる。これは、特に精度が要求される高倍速記録時に効力を発揮する。また、パワーの絶対値の調整を行うのではなく、パワー比の調整を行うので、特殊な機構や複雑な手法を必要としない。
【産業上の利用可能性】  本発明は、例えばＤＶＤ−Ｒ／ＲＷ、ＣＤ−Ｒ／ＲＷ、ＤＶＤ＋Ｒ／ＲＷなどの各種光ディスクに対して用法を記録、再生する装置に利用することが可能である。
【図１】
2004077418.tif 000003
【図２】
2004077418.tif 000004
【図３】
2004077418.tif 000005
【図４】
2004077418.tif 000006
【図６】
2004077418.tif 000007
2004077418.tif 000008
2004077418.tif 000009
【図８】
2004077418.tif 000010
【図１０】
2004077418.tif 000011
2004077418.tif 000012
【図１１】
2004077418.tif 000013
2004077418.tif 000014
【図１３】
2004077418.tif 000015
【図１４】
2004077418.tif 000016
【国際調査報告】
2004077418.tif 000017
2004077418.tif 000018
2004077418.tif 000019
2004077418.tif 000020